(57)【要約】【課題】メール入力という煩雑な手順を行わずに、受信端末にスケジュールデータを送信でき、通話手順まで行わずに、呼接続手順で接続を終了させることが可能な携帯電話機を提供する。【解決手段】キー入力部３により入力されたユーザ・ユーザ情報や相手電話番号などを基に主制御部５がＱ−９３１　ＳＥＴＵＰメッセージを作成し、無線部１の送信部１１が送信動作を行い、呼接続手順のみ（ＳＥＴＵＰ、ＲＥＬＣＯＭＰ）で受信端末にスケジュールデータを送信する。受信端末は無線部１の受信部１２により、ＳＥＴＵＰメッセージを受信し、主制御部５がスケジュールデータを解析し、自己のスケジューラに登録し、ＲＥＬＣＯＭＰメッセージを送出し、呼を終了する。【選択図】　図１
2004080365.tif 000002
【特許請求の範囲】
【請求項１】
ＩＴＵ−Ｔ勧告Ｑ−９３１に基づく呼設定を行う携帯電話機システムにおいて、送信側携帯端末はユーザのスケジュールを示すスケジュールデータを呼設定メッセージのユーザ・ユーザ情報を用いて送信することを特徴とする携帯電話機システム。
【請求項２】
ＩＴＵ−Ｔ勧告Ｑ−９３１に基づいて携帯端末間の呼設定を行う携帯電話機システムにおいて、送信側携帯端末はユーザのスケジュールを示すスケジュールデータを呼設定メッセージのユーザ・ユーザ情報を用いて送信し、受信側携帯端末は前記ユーザ・ユーザ情報の内容が前記スケジュールデータであることを確認すると前記送信側携帯端末に対して解放完了メッセージを送出することを特徴とする携帯電話機システム。
【請求項３】
前記受信側携帯端末は、前記ユーザ・ユーザ情報のスケジュールデータを解析して登録するスケジュールデータ登録部を有することを特徴とする請求項２記載の携帯電話機システム。
【請求項４】
前記受信側携帯端末は、前記スケジュールデータ登録部に登録されたスケジュールデータの日時を計時する時計部と、前記スケジュールデータを表示する表示部と、前記時計部がスケジュールデータの日時を経過するとアラームを鳴動する鳴動部とを備えることを特徴とする請求項３記載の携帯電話機システム。
【請求項５】
前記受信側端末は、前記時計部がスケジュールデータの日時を経過すると振動を発生させる振動部を有することを特徴とする請求項４記載の携帯電話機システム。
【発明の詳細な説明】
【０００１】
【発明の属する技術分野】
本発明は、携帯電話機システムに関し、特にスケジュールを管理するスケジューラ機能を有する携帯電話機システムに関する。
【０００２】
【従来の技術】
従来のこの種の携帯電話機システムの一例として、例えば特開２００１−１８６２７７号公報に記載された発明がある。この従来技術では無線通信装置のスケジューリング機能を簡単な操作で有効に利用することができるようにした無線通信装置およびその制御方法を提供しており、具体的には、相手携帯電話機から文字メール機能を用いて送信されたスケジュールデータを受信し、このスケジュールデータを解析して、その解析結果に基づきスケジュール機能に対してスケジュールの自動登録を行う技術が開示されている。
【０００３】
また、特開平１１−３４１５６１号公報では、スケジュールデータをメールデータとして入力することなく、相手端末に送信でき、また、受信したメールデータをスケジュールデータに変換して登録する技術が開示されている。
【０００４】
また、特開２０００−１５６８９０号公報では、自営網中のＰＨＳ端末と集線装置を用いて個人のスケジュールの設定／確認／削除を効率化する技術が開示されている。
【０００５】
【発明が解決しようとする課題】
上述した従来技術の携帯電話機システムでは、メール機能を用いてスケジュールデータを送信しているため、メール機能を用いる場合に煩雑な入力操作を強いられるという問題点があった。
【０００６】
また、上述した従来の携帯電話機システムでは、呼接続手順を行い、受信側端末が応答確認受信時にスケジュールデータ受信表示を行うという具合に通話手順を行っているために、通話料金が発生してしまうという問題点があった。
【０００７】
本発明は上記問題に鑑みてなされたものであって、本発明は、メール機能を使用することなく相手端末にスケジュールデータを送信でき、通話手順を開始することなく、より短い手順で簡易にスケジュールデータを送受信できる携帯電話機システムを提供することを目的とする。
また、本発明の他の目的は、通常の通話手順まで行わないで安価な料金でスケジュールデータを通知することができる携帯電話機システムを提供することである。
【０００８】
【課題を解決するための手段】
本発明は、ＩＴＵ−Ｔ勧告Ｑ−９３１に基づく呼設定を行う携帯電話機システムにおいて、送信側携帯端末はユーザのスケジュールを示すスケジュールデータを呼設定メッセージのユーザ・ユーザ情報を用いて送信することを特徴とする。
【０００９】
【発明の実施の形態】
次に、本発明の実施形態について図面を参照して詳細に説明する。図１を参照すると、本発明の実施形態の携帯電話機システムは、無線通信を行う無線部１と、メッセージの内容やキー表示などを行う表示部２と、キーの入力を行うキー入力部３と、データの蓄積を行うメモリ部４と、全体を制御する主制御部５と、着信などを振動で報知するバイブレータユニット６と、スケジュールを登録しておくスケジュールデータ登録部７と、現在時刻や通話時間等をカウントする時計８と、着信などを音によって知らせるサウンダ９とを備えている。無線通信を行う無線部１は、メッセージの送信を行う送信部１１とメッセージの受信を行う受信部１２を有する。
【００１０】
キー入力部３は、複数のキーを有し、動作制御等に必要な各種情報を入力するものである。表示部２は、液晶表示部（ＬＣＤ）から成り、上記キー入力部３からの入力情報や上記動作制御等に係わる各種情報を表示するものである。サウンダ９は、着信音を報知するものである。バイブレータユニット６は、着信等を振動で報知するものである。
【００１１】
メモリ部４は、動作プログラムや電話番号あるいはスケジュールデータ等の各種情報を記憶するものである。主制御部５は、無線チャネルアクセス制御手段や発着信制御手段、通話制御手段、バッテリーセービング制御手段などの制御機能を有している。
【００１２】
主制御部５には、ユーザに関する各種スケジュールデータを制御するための機能が備わっている。更に、主制御部５には、自己スケジューラに登録されているスケジュールデータまたはユーザにより新規に作成されたスケジュールデータ（ユーザ・ユーザ情報）を相手端末においてスケジュールデータとして認識できるフォーマットであるユーザ・ユーザ情報に変換して任意の相手端末に送信するとともに、相手端末から受信したユーザ・ユーザ情報をスケジュールデータに変換して自己のスケジューラに登録するための制御機能が備わる。
【００１３】
図２は、本実施形態で用いるＱ−９３１　ＳＥＴＵＰメッセージ及びＲＥＬＣＯＭＰメッセージの構成を示すブロック図である。ＳＥＴＵＰメッセージ２１は、呼設定を要求する際に送出される信号で、プロトコル識別子、呼番号、メッセージ種別とからなる共通部と、伝達能力やユーザ・ユーザ情報等を含む個別部とで構成される。Ｑ−９３１では個別部のユーザ・ユーザ情報２２を用いた様々な付加サービスが提供されており、例えば、呼設定の際にユーザ・ユーザ情報を用いて、通信を行うユーザ間で比較的短い情報をやりとりしたりすることができる。
【００１４】
また、ＲＥＬＣＯＭＰメッセージ２３は、呼が解放されたときに送出される信号で、ＳＥＴＵＰメッセージ２１同様にプロトコル識別子、呼番号、メッセージ種別とからなる共通部を備え、個別部には理由表示の領域が設けられている。この理由表示は、メッセージ生成理由や手順上の誤りの診断情報及び理由の生成源を示すために用いられる。
【００１５】
本実施形態では、図２に示す呼設定中のＱ−９３１　ＳＥＴＵＰメッセージ２１中のユーザ・ユーザ情報を用いることによって、自己の端末に登録されているスケジュールデータあるいは新規に作成されたスケジュールデータをユーザ・ユーザ情報として相手端末に送信できるので、ユーザはスケジュールをメールデータとして入力する必要がなくなる。
【００１６】
スケジュールデータ送信時には、自己のスケジューラに既に登録されたスケジュールデータまたはユーザにより新規に作成されたスケジュールデータをユーザ・ユーザ情報に変換してメッセージを作成する。ユーザ・ユーザ情報受信時には、受信したデータをスケジュールデータに変換してスケジュールの登録を行う。
【００１７】
次に本実施形態の動作について図面を参照して詳細に説明する。送信側端末ＰＳ１において、ユーザは所定の設定操作に基づきスケジュールデータを作成する。主制御部５はユーザが作成した情報をメモリ部４に蓄積しておき、発信操作がなされた時に、メモリ部４に蓄積されたデータを基に図２に示すユーザ・ユーザ情報を作成し、Ｑ−９３１　ＳＥＴＵＰメッセージを作成し、入力された相手先電話番号に基づき、無線部１の送信部１１を制御して相手先端末ＰＳ２へメッセージを送信する。
【００１８】
ユーザがスケジュールデータを作成し、発信動作を行うと、図３に示すシーケンスを開始する。送信端末ＰＳ１は、基地局ＣＳに対してリンクチャネル確立要求信号（図３−Ｓ１）を送出し、基地局ＣＳからのリンクチャネル割当信号（図３−Ｓ２）を受信するとＱ−９３１　ＳＥＴＵＰ（呼設定）メッセージ（図３−Ｓ３）を送出する。
【００１９】
このとき、図２で示したＳＥＴＵＰメッセージ２１のユーザ・ユーザ情報にスケジュールデータを書き込む。そして、基地局ＣＳからのＱ−９３１　ＲＥＬＣＯＭＰ（図３−Ｓ１０）メッセージを待つ。
基地局ＣＳは、送信端末ＰＳ１からのＱ−９３１　ＳＥＴＵＰメッセージ（図３−Ｓ３）受信時に受信端末ＰＳ２に対して、着呼報知信号（図３−Ｓ４）を送出する。
【００２０】
受信端末ＰＳ２は、この着呼報知信号により着信検出を行い、基地局ＣＳに対してリンクチャネル確立要求（図３−Ｓ５）を送出する。基地局ＣＳからのリンクチャネル割当（図３−Ｓ６）受信時に着呼応答（図３−Ｓ７）を送出する。基地局ＣＳは受信端末ＰＳ２からの着呼応答（図３−Ｓ７）受信時に、送信端末ＰＳ１より受信したＱ−９３１　ＳＥＴＵＰメッセージ（図３−Ｓ３）を受信端末ＰＳ２に送出する。受信端末ＰＳ２は基地局ＣＳからのＱ−９３１　ＳＥＴＵＰメッセージ（図３−Ｓ８）を受信することにより、Ｑ−９３１　ＲＥＬＣＯＭＰ（図３−Ｓ９）を送出し、呼を切断する。
【００２１】
基地局ＣＳは受信端末ＰＳ２からのＱ−９３１　ＲＥＬＣＯＭＰ（図３−Ｓ９）を受信すると、送信端末ＰＳ１にＱ−９３１　ＲＥＬＣＯＭＰ（図３−Ｓ１０）を送出し、送信端末ＰＳ１側の呼も切断する。
【００２２】
次に、スケジュールデータの受信動作について図１、４を参照して詳細に説明する。受信端末において待ち受け中に着信があると主制御部５は所定の手順に従い着信応答処理を行う。着信応答処理により受信動作が開始される（図４−Ｓ４０）。この着信応答処理において、主制御部５は受信されたＱ−９３１　ＳＥＴＵＰ（呼設定）メッセージ中にユーザ・ユーザ情報（図４−Ｓ４１）があるかどうかを判断する。ここで、ユーザ・ユーザ情報がなければ、通常の着信として処理する。
【００２３】
ユーザ・ユーザ情報が存在すれば、ユーザ・ユーザ情報の内容をチェックし（図４−Ｓ４２）、スケジュールデータであるならば、表示部２にスケジュールデータが受信されたことを報知する（図４−Ｓ４３）。続いて、スケジュールデータを解析し（図４−Ｓ４４）し、スケジュールデータ登録部７により自己スケジューラに登録する（図４−Ｓ４５）。その後、登録されたスケジュールの予定の日時までの計時を時計８により行い、この計時がタイムアップしたかどうかを判断する（図４−Ｓ４６）。
【００２４】
タイムアップしていないと判断されると、上記計時を続けるが、タイムアップと判断すれば、サウンダ９によりアラームを鳴らすかもしくはバイブレータユニット６により振動をさせ、スケジュール報知（図４−Ｓ４７）を行い、表示部２にスケジュールを表示し処理を終了する（図４−Ｓ４８）。
【００２５】
また、本実施形態では、スケジュールデータをＳＥＴＵＰメッセージ中のユーザ・ユーザ情報に変換してメッセージを送信したが、スケジュールデータを図５に示すような、ＳＥＴＵＰメッセージ５１中の情報要素であるファシリティ情報に変換してメッセージを送信することも可能である。
【００２６】
【発明の効果】
第１の効果は、簡単な操作で相手との約束を容易に共有し、確認できることである。その理由は、自己端末に登録されている、または新規に入力されたスケジュールデータをメッセージデータであるユーザ・ユーザ情報に変換して送受信が行え、スケジュールに自動登録できるようになるからである。
【００２７】
第２の効果は、安価な通話料金で済むことである。その理由は、通話手順まで行わずに、呼接続手順（ＳＥＴＵＰ、ＲＥＬＣＯＭＰ）で終了させることができるからである。
【図面の簡単な説明】
【図１】本発明の実施形態の構成を示すブロック図である。
【図２】Ｑ−９３１メッセージの情報要素を示す説明図である。
【図３】本実施形態の端末間のスケジュールデータ送受信制御を示すシーケンス図である。
【図４】スケジュールデータ受信動作を示すフローチャート図である。
【図５】本発明の他の実施形態のメッセージの情報要素を示す説明図である。
【符号の説明】
１　　無線部
２　　表示部
３　　キー入力部
４　　メモリ部
５　　主制御部
６　　バイブレータユニット
７　　スケジュールデータ登録部
８　　時計
９　　サウンダ
１１　　送信部
１２　　受信部
２１，５１　　ＳＥＴＵＰメッセージ
２２　　ユーザ・ユーザ情報要素内容
２３　　ＲＥＬＣＯＭＰメッセージ
５２　　ファシリティメッセージ
【図１】
2004080365.tif 000003
【図２】
2004080365.tif 000004
【図３】
2004080365.tif 000005
【図４】
2004080365.tif 000006
【図５】
2004080365.tif 000007